(57)【要約】      （修正有）【課題】容器本体を袋状容器のみで構成することを大前提として、何らの支えも必要とすることなく、従来の硬質容器に劣ることのない使用感に加え、容器自体の自立性と共にポンプの押し下げ容易性及び内容物の残留防止を全て満足させることが可能なポンプ容器を提供する。【解決手段】真空ポンプ２による内容物分配手段を備えたポンプ付き袋状容器１において、ポンプ２の吸入口に容器本体底部６に向かって伸延する棒状部材を設けるとともに、その下端部８には下端部８を容器本体底部６へ固定せしめる固定手段９を備えた。【選択図】図１
2005132463.tif 000002
【特許請求の範囲】
【請求項１】
真空ポンプによる内容物分配手段を備えたポンプ付き袋状容器において、当該ポンプの吸入口に容器本体底部に向かって伸延する棒状部材を設けるとともに、その下端部には当該下端部を容器本体底部へ固定せしめる固定手段を備えてなることを特徴とするポンプ付き袋状容器。
【請求項２】
上記固定手段が吸盤を用いてなる請求項１に記載のポンプ付き袋状容器。
【請求項３】
上記固定手段が粘着素材を用いてなる請求項１に記載のポンプ付き袋状容器。
【請求項４】
真空ポンプによる内容物分配手段と、当該ポンプを備えた袋状容器において、袋状容器本体とポンプを結合せしめる接続管がＴ字状を呈するものであるとともに、内容物の通路は屈曲したＬ字状としてポンプを水平に装着可能とし、なおかつポンプ装着部とは反対方向にポンプ押圧力支持部材を突設してなるポンプ付き袋状容器。
【請求項５】
当該支持部材の先端には、容器本体底部が接する壁面に当該支持部材の先端を固定せしめる固定手段を設けてなるポンプ付き袋状容器。
【請求項６】
上記固定手段が吸盤もしくは粘着素材を用いてなる請求項４に記載のポンプ付き袋状容器。
【請求項７】
ポンプ取付部の下部に、ポンプ操作の際に指を引っかける係止手段を備えてなる請求項１乃至６のいずれかに記載のポンプ付き袋状容器。
【発明の詳細な説明】
【技術分野】
【０００１】
この発明は、袋状容器を内容物収納体として採用したポンプ式の液体分配容器に関するものである。
【背景技術】
【０００２】
従来より、洗剤やシャンプーなどの液体を収納して必要量を分配可能なポンプ容器としてはさまざまな技術が提案されている。折しも環境問題を考えなければならない時代において、使用後のゴミの減量化は最重要課題であるといっても過言ではなく、それ故に容器本体に硬質容器を採用した従来の多くのポンプ容器は、詰め替え用として袋状容器に内容物のみを収納したものを販売して、無駄な容器本体の流通を抑制してこの問題に対応している。
【０００３】
また、特開平１１−１６５７３７号公報に示されるように、容器本体そのものを袋状容器として使用するものも提案された。すなわち一般的な詰め替えという概念ではなく、使用者は袋状容器に収納された内容物を購入し、予め購入しておいた硬質容器内においてポンプを当該袋容器に付け替えて使用するものなどが提案されるに至った。ここで使用されるポンプは、容器本体内に外気を導入しないいわゆる真空ポンプといわれるものである。
【特許文献１】内容物収納容器に袋体を使用した例。特開平１１−１６５７３７号公報
【０００４】
ところが、容器本体を袋状容器とすると、内容物が減少してきたときにポンプ内への流入口を、内容物減少により近接してきた容器を構成する柔軟性樹脂シートがこれを塞ぎ、内容物が出なくなってしまうという問題が生ずる。つまり容器本体内に内容物が残留してしまうのである。そこで例えば特開平９−４８４７８号や特開平１０−２３６４８９号公報に記載の発明などでは、ポンプ内への流入口や排出口に向かって、容器の中央部に通路を確保するための部材を設けることによってこの問題の解決を図ろうとしている。
【特許文献２】液充填袋が収納液のシリンダ内への吸い上げを邪魔することなく円滑且つ確実な液の注出が行えるようにした液体注出ポンプ例。特開平９−４８４７８号公報。
【特許文献３】内容物の減少によっても注出ノズルまでの流路を確保する手法。特開平１０−２３６４８９号公報。
【０００５】
また、上記二つの問題点を同時に解決し得る手段として、実開平６−８２５４号公報に記載の考案や特開２００１−１０６８３号公報に記載の発明などが提案されている。これらは内容物の残留防止のために吸い上げ管の先端が妄動しないように容器本体の底部に係止手段を設けたものである。
【特許文献４】容器の底部に吸い上げ管の下端の位置決め手段を設けた例。実開平６−８２５４号公報。
【特許文献５】容器の底部に吸い上げ管の下端の位置決め手段を設けた例。特開２００１−１０６８３号公報。
【０００６】
さらに、容器本体を薄肉容器で構成した場合には、特開２００１−２１３４８９号公報や実開平６−８２５４号公報に示されるような容器本体の変形を防止する手段が提案されている。
【特許文献６】薄肉容器の変形を防止する手段を設けた例。特開２００１−２１３４８９号公報。
【特許文献７】薄肉容器の変形を防止する手段を設けた例。実開平６−８２５４号公報。
【発明の開示】
【発明が解決しようとする課題】
【０００７】
しかしながら、上記従来技術は、袋状容器を単独で使用するための手段が何ら示されていない。つまり、従前の技術は、少なくとも袋状容器を硬質容器の内部に収納するということを前提にするもの、あるいは、袋状容器の柔軟性による座りの悪さを支える手段（例えば枠）を備えたものであった。これではそれら硬質容器や支え手段は自ずと使用後にはゴミとなるのであり、ゴミ減量化の手法としては不十分である。
【０００８】
また、前記先行技術の中において比較的柔軟な容器本体を前提とした特開２００１−２１３４８９号公報に記載の発明では、形状維持手段が容器の底部で三角錐や四角錐形状を形成してしまい、その空間に内容物が残留してしまうという欠点があり、この問題に対する手当てはなされていない。
【０００９】
そして、前記のようなこれまで提案されたさまざまな手段を単に組み合わせただけでは、甚だしく柔軟な袋状容器を何らの支えもない状態で容器本体として採用し、これに手押しポンプを装着した場合における容器自体の自立性と共にポンプの押し下げ容易性及び内容物の残留防止を全て満足させることは容易ではないことが判明した。その根本的な原因は、ポンプを押し下げた際の反発力を受ける手段を設けることの困難性であった。袋状容器に剛性や強度を持たせること自体が不可能だからである。
【００１０】
そこでこの発明は、容器本体を袋状容器のみで構成することを大前提として、何らの支えも必要とすることなく、従来の硬質容器に劣ることのない使用感に加え、容器自体の自立性と共にポンプの押し下げ容易性及び内容物の残留防止を全て満足させることが可能なポンプ容器を提案するものである。
【課題を解決するための手段】
【００１１】
すなわちこのポンプ付き袋状容器は、真空ポンプによる内容物分配手段を備えたポンプ付き袋状容器において、当該ポンプの吸入口に容器本体底部に向かって伸延する棒状部材を設けるとともに、その下端部には当該下端部を容器本体底部へ固定せしめる固定手段を備えてなることを特徴とするものである。
【００１２】
また、上記係合手段が吸盤もしくは粘着素材であることも特徴とするものである。
【００１３】
さらにこのポンプ付き袋状容器は、真空ポンプによる内容物分配手段と、当該ポンプを備えた袋状容器において、袋状容器本体とポンプを結合せしめる接続管が凸字状を呈するものであるとともに、内容物の通路は屈曲したＬ字状としてポンプを水平に装着可能とし、なおかつポンプ装着部とは反対方向にポンプ押圧力支持部材を突設してなることも特徴とするものである。
【００１４】
また、当該支持部材の先端には、容器本体底部が接する壁面に当該支持部材の先端を固定せしめる固定手段を設けてなることも特徴としている。
【００１５】
また、上記係合手段が吸盤もしくは粘着素材であることも特徴としている。
【００１６】
さらにまた、ポンプ取付部の下部に、ポンプ操作の際に指を引っかける係止手段を備えたことをも特徴とするものである。
【発明の効果】
【００１７】
この発明のポンプ容器によれば、柔軟な袋状容器であるにもかかわらず、従来の硬質容器と同じに立て置き状態でポンプによる下方へ押し下げての分配操作が難なく行えると共に、容器自体の自立性、ポンプの押し下げ容易性及び内容物の残留防止を全て満足させることが可能である。
【００１８】
また、横置きとした場合や吊り下げて使用した場合でも水平方向にポンプ操作をすることができるとともに、残留なく最後まで吸い出す（排出する）ことができる。
【００１９】
したがって、甚だしく柔軟な袋状容器でありながら従来の硬質容器同様に使用することができるにもかかわらず、使用後の容器廃棄の際には著しく小さくなるためゴミの減量化に貢献することができる。
【発明を実施するための最良の形態】
【００２０】
以下、図面に基づきこの発明の実施の形態について詳述する。
【実施例１】
【００２１】
図１は、この発明の第１の実施例を示す全体正面図、及び図２はその縦断面図である。図１に示すように、袋状容器本体1の上端に手押し式のポンプユニット２（以下ポンプ）が設けられている。ここで採用するポンプ２は、容器本体1が柔軟な袋状容器であるため、内容物を排出する際に容器内に内容物が残留することのない、つまりその排出容量分の外気を導入する必要がないタイプのいわゆる真空ポンプと呼ばれる外気導入通路を持たないタイプのものである。
【００２２】
袋状容器本体１は、樹脂製シートにより形成されるいわゆるガゼットタイプの袋であり、内容物を充填すると底部が箱状に形成されるものである。容器本体１の材質としては、プラスチックシート、金属シート、あるいはこれらを構成材料とする複合シートから選ぶことができる。プラスチックシートの例としては、ポリエチレン、ポリプロピレン、ポリエステル、ポリカーボネート、ナイロン樹脂等が挙げられる。これらの軟質シートあるいは複合シートを素材とし、２枚の素材シートを貼り合わせてその周囲を所定の幅でヒートシールすることにより、加熱溶着して形成したものである。
【００２３】
袋状容器１とポンプ２の結合方法については、特開平１０−３３８２４８で提案されている袋状容器におけるシート状部材と筒状部材との接合構造によるものが最も望ましいが、袋状容器１の開口部に筒状部材３を固定することさえできればその手法は限定されない。
【００２４】
ポンプ２の下端、すなわち内容物の吸い込み口４は、本来は開口しているところであるが、後述する棒状部材がこれを塞ぐため、側面に内容物が流入する孔５が開けられている。そして上記下端４には、そこから容器本体１の底部６に向かって垂設される棒状部材７が設けられるとともに、その棒状部材７の先端（下端）８にはこの棒状部材７の下端８を袋状部材１の底部６に係止する固定手段９が設けられている。
【００２５】
この棒状部材７は図２に示すような中空体でもあるいは図３に示すように中実体でも良く、ポンプヘッド１０の押し下げ力に対し、曲がることがない程度の強度を備えていればその断面形状は限定されない。但し、この棒状部材７を中空にした場合は内容物の吸入口をポンプの下端４ではなく、この棒状部材７の下端として、容器の底部６から吸引するものとすることもできる。その場合は図５に示すように、棒状部材７の先端に設けられる固定部材９が貫通するように貫通孔５”が設けられることが望ましい。こうすることでより底面に近いところから内容物を吸い上げることができる。
【００２６】
固定手段９は、柔軟性樹脂シートで形成される袋状容器本体１の底部６に吸着して、上記棒状部材７の下端８を容器底部６に固定するものである。図４に示すように、固定手段９は、小さな吸盤１１を複数設けたものが好適である。すなわち、図５に示すように、袋状容器１の底部６には袋体を形成するための溶着部１２があり、それが底部６に段差１３を形成している。このために単一の吸盤では隙間が空いてしまって吸着性能が低下してしまう。そこで小さな複数の吸盤とすることによって、この段差１３に当接した吸盤１１が十分な性能を発揮し得ずとも、他の吸盤１１が段差のない部分に吸着して棒状部材７を底部６に固定する。したがって、ポンプ２と棒状部材７は袋状容器１の中央に立つ柱となり、容器全体が何の支えもなく自立することができる。
【００２７】
また、固定手段９は必ずしも平面的に吸盤１１を配列したものでなければならないのではなく、図６に示すように、容器底部６の段差部１３を跨ぐために脚１４を設けてその先端に吸盤１１を備えたものとしても良い。使用する吸盤１１はより強固に吸着する二重型のものを採用することもできる。また、図７に示すように、吸盤以外の吸着素材または粘着部材を用いることとしても良い。図に示すものは発泡素材を利用している。特に内容物が液体であるので、液体の毛細管現象等の作用によって吸着性能が発揮されるものや、内容物中の水分で吸着性能や粘着力が生じるもの、内容物の水分でも性能が低下しない吸着手段や粘着手段であればよく、この手段の構成要素は限定されない。棒状部材７の下端６が容器底部６に簡易的にかつ滑ったりして容易に妄動することがないように固定されればよい。
【００２８】
また、この棒状部材７はポンプ操作をした際にその押し込み操作方向においてつっかい棒となるものであればその断面形状は問わない。つまり、ポンプヘッド１０を押し下げた際の押し下げ力に対向する反力を生じさえることができればよい。
【００２９】
例えば、図２に示すように棒状部材７が中空の管状部材である場合は、管内に内容物が残留する可能性があることと、流入口５がポンプ本体２の下部（４）のみであると容器底部６の内容物が吸い上げられ難くなる場合があるので、管状の棒状部材７を流入通路として利用することが望ましく、図８に示すように、管状部材７の任意の位置に複数の流入孔５’を設けると共に、図５に示すように固定部材９にもこれを上下に貫通する流入孔５”を設け、積極的に容器底部６からの内容物の吸い上げを図ることが望ましい。そうすることにより、図９に示すように、ポンプ作動時の内容物の吸い上げは上方の吸入口５のみならず棒状部材７全体から吸い上げられるようになり、吸い上げ抵抗も小さくなるので高粘度液体でも難なく使用することができる。
【００３０】
また、中空体以外の場合は、横断面形状が円形よりは凹凸のある形状の方が望ましい。つまり袋状容器内から内容物が吸い出されると、袋を構成する向かい合った樹脂シートが近接してきてやがて密着するようになり、容器下部の内容物が吸い上げられなくなるおそれが生ずる。図１０は棒状部材７を十字の断面形状とした場合を示している。図１１はそのＡＡ横断面図である。ここには前述の特開平９−４８４７８号や特開平１０−２３６４８９号公報に記載の手法を好適に利用することができる。すなわち図１１（イ）に示すように横断面が十字形状のみならず（ロ）に示すような樋形状にしても良いが、これらはあくまで利用例でありこれらに限定されるものではなく、内容物が減少して容器本体１を形成する柔軟性樹脂シートの対向面が近接した際にこれを密着させないように障害物となり、さらに通路を確保し得るものであればよい。つまり図１１（ハ）及び（ニ）に示すように、横断面形状を凹凸のある形状とした場合には、この密着が棒状部材７が介在することにより妨害されるとともに、棒状部材７の周囲には軸方向の通路１４が形成されることとなり、容器下部の内容物はこの通路１４を通ってポンプに吸い上げられるのである。
【００３１】
なお、このように棒状部材７を円形断面以外の断面形状で形成する場合は剛性の低下に注意しなければならない。
【００３２】
以上のように構成したこの発明のポンプ付き袋容器を使用する際は、従来の硬質容器のポンプ容器と同様に平面の上に縦置きして使用する際は、先ずポンプヘッド１０をロックした状態で容器本体１を平面上に載置すると同時にポンプヘッド１０を下方に押さえつける。これにより上記固定手段９が容器本体底部６に吸着して自立する。そして、内容物分配の際には従来のポンプ容器同様にポンプヘッド１０を下方に押し下げれば、棒状部材７がつっかい棒となって難なく押し下げることが可能である。
【００３３】
なお、固定手段９が確実に容器底部６に固定されていれば、袋状容器でありながら自立しているので、敢えて棒状部材７がつっかい棒となるような使い方をしなくてもよい場合があり、その際に、この発明のポンプ容器には、袋容器１とポンプ２との接合管３において、円盤状の指掛けプレート１６が設けられていて、使用の際には図１２に示すように、このプレート１６にポンプ２を挟むように人差し指１７と中指１８を引っ掛けて、親指１９でポンプヘッド１０を押し下げるという場合に操作が楽に行えるようになっている。
【００３４】
また、この発明のポンプ付き袋容器は寝かせて使用することも可能である。その場合は、図１３に示すように平面２０壁面２１とが連続して形成されている場所において、容器本体１の底部６が背後の壁面２１に当接するように平面２０上に寝かせて載置する。そして内容物分配に際しては底部６を壁面に押し当てるようにして、ポンプヘッド１０を水平方向に押し込めば、上記縦置きの場合と変わらぬ使い勝手で使用することができる。
【実施例２】
【００３５】
図１４はこの発明の第２の実施例を示す側面図である。この発明に拠れば容器本体１を逆さまに吊して使用することも可能である。すなわち図１４に示すように、容器本体１とポンプ２の接合管３を凸字状に形成し、ポンプ２を水平方向に操作するように構成することもできる。凸字状に形成した接合管３のポンプヘッド１０と相対する側の端部２２には、固定手段９が設けられている。固定手段９の構成は前記実施例１と同様であり、図では複数の吸盤１１が設けられている。また、容器本体１の底部６の溶着部１２はより幅広に形成されてその所望位置に壁面２１に固定されたフック２３の係合孔２４が設けられている。
【００３６】
以上のように構成したこの発明のポンプ付き袋容器を使用する際は、容器底部６のフック係合孔２４を壁面２１等に設けられた吊り下げフック２３に通す。この際に接合管３の固定手段９の背面位置には壁面２１があることが必要である。そして内容物を分配する際には壁面２１に向かってポンプヘッド１０を水平方向に押し込めば、固定手段９が壁面２１に吸い付き、安定した状態でポンプ操作ができる。内容物の減少に伴い、袋である容器本体１の全長が伸びてくるが、その場合は固定手段９の壁面２１への係合を解いて、再び係合し直せば良い。
【００３７】
なお、本実施例において、接合管３は、ポンプヘッド１０が常に水平となるように、ポンプヘッド１０を装着した状態での重量バランスを取るようにするとよい。
【００３８】
また、ポンプヘッド１０に設けられている排出ノズル２５を回動式として、使用する場合に自由に方向を変えられるようにしておくと良い。
【産業上の利用可能性】
【００３９】
この発明のポンプ容器によれば、柔軟な袋状容器であるにもかかわらず、従来の硬質容器と同じに立て置き状態でポンプによる下方へ押し下げての分配操作が難なく行えると共に、容器自体の自立性、ポンプの押し下げ容易性及び内容物の残留防止を全て満足させることが可能である。
【００４０】
また、横置きとした場合や吊り下げて使用した場合でも水平方向にポンプ操作をすることができるとともに、残留なく最後まで吸い出す（排出する）ことができる。
【００４１】
したがって、甚だしく柔軟な袋状容器でありながら従来の硬質容器同様に使用することができるにもかかわらず、使用後の容器廃棄の際には著しく小さくなるためゴミの減量化に貢献することができる。
【図面の簡単な説明】
【００４２】
【図１】この発明の第１の実施例を示す全体正面図である。
【図２】その縦断面図である。
【図３】棒状部材の他の構成を示す要部縦断面図である。
【図４】固定手段を示す斜視図である。
【図５】その要部縦断面図である。
【図６】他の固定手段を示す斜視図である。
【図７】他の固定手段を示す要部縦断面図である。
【図８】他の棒状部材の構成を示す概念図である。
【図９】その作用を示す概念図である。
【図１０】他の棒状部材の構成を示す概念図である。
【図１１】（イ）、（ロ）はその横断面図、（ハ）、（ニ）はその作用効果を示す要部横断面図である。
【図１２】操作状態を示す概念図である。
【図１３】寝かした状態での使用例を示す側面図である。
【図１４】第２の実施例を示す側面図である。
【符号の説明】
【００４３】
１  袋状容器本体1
２  ポンプユニット
３  筒状部材
４  吸い込み口
５  流入孔
６  容器底部
７  棒状部材
８  先端（下端）
９  固定手段
１０  ポンプヘッド
１１  吸盤
１２  溶着部
１３  段差
１４  脚
１６  指掛けプレート
１７  人指し指
１８  中指
１９  親指
２０  平面
２１  壁面
２２  端部
２３  吊り下げフック
２４  係合孔
２５  排出ノズル
【図１】
2005132463.tif 000003
【図２】
2005132463.tif 000004
【図３】
2005132463.tif 000005
【図４】
2005132463.tif 000006
【図５】
2005132463.tif 000007
【図６】
2005132463.tif 000008
【図７】
2005132463.tif 000009
【図８】
2005132463.tif 000010
【図９】
2005132463.tif 000011
【図１０】
2005132463.tif 000012
【図１１】
2005132463.tif 000013
【図１２】
2005132463.tif 000014
【図１３】
2005132463.tif 000015
【図１４】
2005132463.tif 000016